【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
被写体を撮像して画像を生成する撮像手段を有する撮像装置であって、
前記撮像装置の位置を示す位置情報を決定する決定手段と、
前記撮像手段により撮像が行われた場合、撮像位置を示す位置情報を取得して前記生成される画像と共に記録媒体に記録するよう制御する記録制御手段と、
前記決定手段により定期的に決定される複数の位置情報を含む軌跡ファイルを生成する生成手段とを有し、
前記撮像位置を示す位置情報は、前記生成手段が生成した軌跡ファイルにも記録されることを特徴とする撮像装置。
【請求項２】
前記撮像位置を示す位置情報が前記画像と共に前記記録媒体に記録された後に、前記撮像位置を示す位置情報は、前記軌跡ファイルに追記されることを特徴とする請求項１に記載の撮像装置。
【請求項３】
前記撮像手段により前記画像が生成されることに応じて、前記画像の撮像位置を示す位置情報が、前記軌跡ファイルに記録されることを特徴とする請求項１または２に記載の撮像装置。
【請求項４】
前記画像の撮像位置を示す位置情報が記録された軌跡ファイルに基づき、前記撮像装置の移動軌跡を表示部に表示するよう制御する表示制御手段を更に有することを特徴とする請求項１乃至３のいずれか１項に記載の撮像装置。
【請求項５】
前記画像の撮像位置を示す位置情報が記録された軌跡ファイルを外部装置に送信する送信手段を更に有することを特徴とする請求項１乃至４のいずれか１項に記載の撮像装置。
【請求項６】
被写体を撮像して画像を生成する撮像手段と、
位置情報を取得して前記画像に関連付ける関連付け手段と、
複数の位置情報を含む軌跡ファイルを保持する保持手段と、
前記位置情報が関連付けられた前記画像を削除する場合、前記画像に関連づけられた前記位置情報を抽出する抽出手段と、
前記抽出手段により抽出された前記位置情報を記録する記録手段とを有することを特徴とする撮像装置。
【請求項７】
前記記録手段は、前記抽出手段により抽出された前記位置情報を、前記軌跡ファイルとは異なるファイルに記録することを特徴とする請求項６に記載の撮像装置。
【請求項８】
前記関連付け手段は、前記撮像手段による撮像に応じて位置情報を取得し、取得した位置情報を前記撮像手段の撮像により生成された画像に関連付けることを特徴とする請求項６または７に記載の撮像装置。
【請求項９】
前記抽出手段により抽出された前記位置情報を外部装置に送信する送信手段を更に有することを特徴とする請求項６乃至８のいずれか１項に記載の撮像装置。
【請求項１０】
定期的に取得した複数の位置情報を用いて前記軌跡ファイルを生成する生成手段を更に有し、
前記位置情報は、全地球測位システム（ＧＰＳ）の人工衛星から受信される信号に基づき決定されることを特徴とする請求項６乃至９のいずれか１項に記載の撮像装置。
【請求項１１】
前記抽出手段は、前記画像が削除される前に、前記画像に関連付けられた前記位置情報を抽出し、前記画像は、前記記録手段により前記抽出された位置情報が記録された後に削除されることを特徴とする請求項６乃至１０のいずれか１項に記載の撮像装置。
【請求項１２】
撮像装置と情報処理装置とを有するシステムであって、
被写体を撮像して画像データを生成する撮像手段と、
定期的に位置情報を取得して１つの軌跡ファイルに記録する第１の記録手段と、
前記撮像手段により撮像が行われた場合、前記生成される画像を、該画像の撮像位置を示す位置情報と共に記録媒体に記録する第２の記録手段と、
前記位置情報が関連づけられた前記画像データを削除する場合、前記画像データに関連づけられた前記位置情報を抽出する抽出手段と、
前記抽出手段により抽出された前記位置情報を記録する第３の記録手段と、
前記抽出手段により抽出された前記位置情報を前記軌跡ファイルに記録する第４の記録手段とを有することを特徴とするシステム。
【請求項１３】
前記第１の記録手段は、位置情報を取得した日時を、定期的に取得された前記位置情報とともに前記軌跡ファイルに記録し、
前記第２の記録手段は、撮像した日時を、前記撮像手段により得られた画像データに対応づけて前記位置情報とともに記録し、
前記第４の記録手段は、前記軌跡ファイルに記録された日時と前記画像データに対応づけて記録された日時に基づき、前記抽出手段により抽出された前記位置情報を前記軌跡ファイルに記録することを特徴とする請求項１２に記載のシステム。
【請求項１４】
前記第４の記録手段は、前記抽出手段により抽出された前記位置情報を前記軌跡ファイルで利用できる形式に変換して前記軌跡ファイルに記録することを特徴とする請求項１２または１３に記載のシステム。
【請求項１５】
前記第４の記録手段により記録された前記軌跡ファイルに基づき、移動軌跡を表示する表示手段を更に有することを特徴とする請求項１２乃至１４のいずれか１項に記載のシステム。
【請求項１６】
前記抽出手段により抽出された前記位置情報が記録された前記軌跡ファイルを前記撮像装置から前記情報処理装置に送信する送信手段を更に有することを特徴とする請求項１２乃至１５のいずれか１項に記載のシステム。
【請求項１７】
被写体を撮像して画像を生成する撮像工程と、
位置情報を取得して前記画像に関連付ける関連付け工程と、
複数の位置情報を含む軌跡ファイルを保持する保持工程と、
前記位置情報が関連付けられた前記画像を削除する場合、前記画像に関連づけられた前記位置情報を抽出する抽出工程と、
前記抽出工程で抽出された前記位置情報を記録する記録工程とを有することを特徴とする撮像装置の制御方法。
【請求項１８】
撮像装置と情報処理装置とを有するシステムの制御方法であって
被写体を撮像して画像データを生成する生成工程と、
定期的に位置情報を取得して１つの軌跡ファイルに記録する第１の記録工程と、
前記撮像が行われた場合、位置情報を取得して前記撮像により得られた画像データに対応づけて記録する第２の記録工程と、
前記位置情報が対応付けられた前記画像データを削除する場合、前記画像データに対応づけられた前記位置情報を抽出する抽出工程と、
前記抽出工程で抽出された前記位置情報を記録する第３の記録工程と、
前記抽出工程で抽出された前記位置情報を前記軌跡ファイルに記録する第４の記録工程とを有することを特徴とする制御方法。
【請求項１９】
コンピュータを、請求項１乃至５のいずれか１項に記載の撮像装置の各手段として機能させるための、コンピュータが読み取り可能なプログラム。
【請求項２０】
コンピュータを、請求項６乃至１１のいずれか１項に記載の撮像装置の各手段として機能させるための、コンピュータが読み取り可能なプログラム。
【請求項２１】
コンピュータを、請求項１２乃至１６のいずれか１項に記載のシステムとして機能させるための、コンピュータが読み取り可能なプログラム。
【手続補正２】
【補正対象書類名】明細書
【補正対象項目名】発明の名称
【補正方法】変更
【補正の内容】
【発明の名称】撮像装置及びシステム
【手続補正３】
【補正対象書類名】明細書
【補正対象項目名】０００１
【補正方法】変更
【補正の内容】
【０００１】
本発明は撮像装置及びシステムに関し、特に、ＧＰＳによって現在位置を記録する機能を持つ撮像装置及びシステムに関するものである。
【手続補正４】
【補正対象書類名】明細書
【補正対象項目名】０００７
【補正方法】変更
【補正の内容】
【０００７】
上記課題を解決するための本願発明の画像処理装置は、画像データを記録媒体に記録する記録制御手段と、複数の位置情報と日時情報とからなる、複数のログデータを保持する保持手段と、時差情報を取得する時差取得手段と、前記ログデータに含まれる日時情報と同一のタイムゾーンの日時情報が前記画像データに含まれる場合、前記画像データに含まれ、前記ログデータに含まれる日時情報と同一のタイムゾーンの日時情報と、前記ログデータに含まれる日時情報とに基づき、前記保持手段が保持する複数のログデータから、前記画像データに対応するログデータを特定し、前記ログデータに含まれる日時情報と同一のタイムゾーンの日時情報が前記画像データに含まれない場合、前記画像データに含まれる日時情報と、前記ログデータに含まれる日時情報と、前記時差情報とに基づき、前記画像データに対応するログデータを特定する特定手段とを有することを特徴とする。